(57)【要約】【課題】    本発明の目的は、使用状態に近い状態で見比べると共に、検査場所が暗くても、検査することができる誘導灯検査器具及び誘導灯検査方法を提供するものである。【解決手段】    誘導灯検査器具１は、誘導灯の表示体２の色彩を検査する誘導灯検査器具１であって、光源１１と、この光源１１に対向する位置にあって、光源１１からの光を透過する透明な基板１２と、この基板１２又は基板１２上に設けられ、表示体２の基準となる色彩に対して段階的に色彩を変化させた複数の色彩見本Ｓ１、Ｓ２、Ｓ３・・・ＳＮを有するスケール部Ｓとを備えているものである。【選択図】図１
2018151335.tif 000002
【特許請求の範囲】
【請求項１】
誘導灯の表示体の色彩を検査する誘導灯検査器具であって、
光源と、
この光源に対向する位置にあって、前記光源からの光を透過する透明な基板と、
この基板又は前記基板上に設けられ、前記表示体の基準となる色彩に対して段階的に色彩を変化させた複数の色彩見本を有するスケール部とを備えている
ことを特徴とする誘導灯検査器具。
【請求項２】
誘導灯の表示体の色彩を検査する誘導灯検査器具であって、
光源と、
この光源に対向する位置にあって、前記光源からの光を透過する透明な基板と、
この基板又は前記基板上に設けられ、前記表示体の基準となる色彩に対して段階的に色彩を変化させた複数の色彩見本を有するスケール部と、
前記基板又は前記基板上に設けられ、可視光領域において略全反射する鏡面部とを備え、前記鏡面部は隣り合う前記色彩見本の間に位置している
ことを特徴とする誘導灯検査器具。
【請求項３】
誘導灯の光源が蛍光灯であれば、誘導灯検査器具の光源を蛍光灯、前記誘導灯の光源がＬＥＤであれば、誘導灯検査器具の光源をＬＥＤとする
ことを特徴とする請求項１又は請求項２記載の誘導灯検査器具。
【請求項４】
請求項１記載の誘導灯検査器具の光源からの光を透過したスケール部の色彩見本と、表示体から発せられる色彩とを比較して、前記表示体の適否を検査する
ことを特徴とする誘導灯検査方法。
【請求項５】
請求項２記載の誘導灯検査器具の光源からの光を透過したスケール部の色彩見本と、表示体から発せられる色彩を写した請求項２記載の鏡面部を比較して、前記表示体の適否を検査する
ことを特徴とする誘導灯検査方法。
【発明の詳細な説明】
【技術分野】
【０００１】
本発明は、誘導灯検査器具及び誘導灯検査方法に係り、特に、使用状態に近い状態で見比べると共に、検査場所が暗くても、検査することができる誘導灯検査器具及び誘導灯検査方法に関する。
【背景技術】
【０００２】
誘導灯の表示体の色彩を検査するものとして、誘導灯検査器具がある（例えば、特許文献１参照）。
この誘導灯検査器具は、誘導灯の表示体の基準となる色彩に対して段階的に色彩を変化させた複数の色彩見本を有し、この複数の色彩見本と誘導灯の表示体の色彩を比較し、
誘導灯の表示体の劣化状態を検査している。
【先行技術文献】
【特許文献】
【０００３】
【特許文献１】特許第5096533号公報
【発明の概要】
【発明が解決しようとする課題】
【０００４】
ところが、上記誘導灯検査器具にあっては、誘導灯の表示体の色彩は、誘導灯検査器具の光源からの光を介したものであるのに対し、複数の色彩見本は光源からの光を介していない点で相違し、表示体の劣化の適否の正確性に欠け、しかも、検査場所が暗い場合、検査できないという問題点があった。
【０００５】
本発明は、上記問題点を考慮してなされた誘導灯検査器具及び誘導灯検査方法を提供することを目的とする。
【課題を解決するための手段】
【０００６】
請求項１記載の誘導灯検査器具は、誘導灯の表示体の色彩を検査する誘導灯検査器具であって、光源と、この光源に対向する位置にあって、前記光源からの光を透過する透明な基板と、この基板又は前記基板上に設けられ、前記表示体の基準となる色彩に対して段階的に色彩を変化させた複数の色彩見本を有するスケール部とを備えているものである。
【０００７】
また、請求項２記載の誘導灯検査器具は、誘導灯の表示体の色彩を検査する誘導灯検査器具であって、光源と、この光源に対向する位置にあって、前記光源からの光を透過する透明な基板と、この基板又は前記基板上に設けられ、前記表示体の基準となる色彩に対して段階的に色彩を変化させた複数の色彩見本を有するスケール部と、前記基板又は前記基板上に設けられ、可視光領域において略全反射する鏡面部とを備え、前記鏡面部は隣り合う前記色彩見本の間に位置しているものである。
【０００８】
また、請求項３記載の誘導灯検査器具は、請求項１又は請求項２記載の誘導灯検査器具において、誘導灯の光源が蛍光灯であれば、誘導灯検査器具の光源を蛍光灯、前記誘導灯の光源がＬＥＤであれば、誘導灯検査器具の光源をＬＥＤとするものである。
【０００９】
また、請求項４記載の誘導灯検査方法は、請求項１記載の誘導灯検査器具の光源からの光を透過したスケール部の色彩見本と、表示体から発せられる色彩とを比較して、前記表示体の適否を検査するものである。
【００１０】
また、請求項５記載の誘導灯検査方法は、請求項２記載の誘導灯検査器具の光源からの光を透過したスケール部の色彩見本と、表示体から発せられる色彩を写した鏡面部とを比較して、前記表示体の適否を検査するものである。
【発明の効果】
【００１１】
請求項１記載の誘導灯検査器具によれば、誘導灯検査器具の光源からの光を透過したスケール部の色彩見本と表示体から発せられる色彩とを使用状態に近い状態で見比べ、表示体の劣化の適否を確実に、しかも、誘導灯検査器具自体に光源を有するため、検査場所が暗くても、検査することができる。
【００１２】
また、請求項２記載の誘導灯検査器具によれば、誘導灯検査器具の光源からの光を透過したスケール部の色彩見本と表示体から発せられる色彩を写した鏡面部とを使用状態に近い状態で見比べ、表示体の劣化の適否を確実に、しかも、誘導灯検査器具自体に光源を有するため、検査場所が暗くても、検査することができる。
【００１３】
また、請求項３記載の誘導灯検査器具によれば、上述した請求項１又は請求項２記載の発明の効果に加え、誘導灯の光源が蛍光灯であれば、誘導灯検査器具の光源を蛍光灯、前記誘導灯の光源がＬＥＤであれば、誘導灯検査器具の光源をＬＥＤとするため、使用状態により近い状態で見比べ、表示体の劣化の適否を確実に、しかも、誘導灯検査器具自体に光源を有するため、検査場所が暗くても、検査することができる。
【００１４】
また、請求項４記載の誘導灯検査方法によれば、誘導灯検査器具の光源からの光を透過したスケール部の色彩見本と表示体から発せられる色彩とを使用状態に近い状態で見比べ、表示体の劣化の適否を確実に、しかも、誘導灯検査器具自体に光源を有するため、検査場所が暗くても、検査することができる。
【００１５】
また、請求項５記載の誘導灯検査方法によれば、誘導灯検査器具の光源からの光を透過したスケール部の色彩見本と表示体から発せられる色彩を写した鏡面部とを使用状態に近い状態で見比べ、表示体の適否を確実に、しかも、誘導灯検査器具自体に光源を有するため、検査場所が暗くても、検査することができる。
【図面の簡単な説明】
【００１６】
【図１】図１は、本発明の一実施例の誘導灯検査器具の使用状態を示す概略的斜視図である。
【図２】図２は、図１の誘導灯検査器具の概略的斜視図である。
【図３】図３は、図２の３−３線による概略的断面図である。
【発明を実施するための形態】
【００１７】
本発明の一実施例の誘導灯検査器具及び誘導灯検査方法を図面（図１乃至図３）を参照して説明する。
図１に示す１は誘導灯の表示体２の色彩を検査する誘導灯検査器具で、１０は本体で、本体１０は、光源１１と、この光源１１に対向する位置にあって、光源１１からの光を透過する透明な基板１２と、この基板１２又は基板１２上に設けられ、表示体２の基準となる色彩に対して段階的に色彩を変化させた複数の色彩見本Ｓ１、Ｓ２、Ｓ３・・・ＳＮを有するスケール部Ｓとを備えている。
なお、誘導灯の表示体２は、光源からの光、熱、周囲の温湿度環境等の影響で変色、退色等を生じるため、退避者が確実に認識できるように適時検査を行うと共に、必要に応じて誘導灯の表示体２を新しいものに交換しなければならない。
【００１８】
１３は基板１２又は基板１２上に設けられた可視光領域において略全反射する鏡面部で、鏡面部１３は隣り合う色彩見本Ｓ１、Ｓ２、Ｓ３・・・の間に位置している。
なお、表示体２から発せられる色彩と、スケール部Ｓの色彩見本Ｓ１，Ｓ２，Ｓ３・・・とを、図１に示すように、比較しても良いし、また、表示体２から発せられる色彩を
鏡面部１３に反射させて比較しても良い。
比較は、表示体２から発せられる色彩が、例えば、所定のスケール部Ｓの色彩見本Ｓ１，Ｓ２，Ｓ３・・・ＳＮ内に収まっているか否かにより、その適否を判定するものであり、具体的には、表示体２から発せられる色彩が色彩見本Ｓ１，Ｓ２，Ｓ３内に収まっていれば適、表示体２から発せられる色彩が色彩見本Ｓ１９，Ｓ２０，Ｓ２１内であれば不適とするものである。
【００１９】
従って、上述した誘導灯検査器具（誘導灯検査方法）１によれば、誘導灯検査器具１の光源１１からの光を透過したスケール部Ｓの色彩見本Ｓ１，Ｓ２，Ｓ３・・・ＳＮと、表示体２から発せられる色彩とを使用状態に近い状態で見比べ、表示体２の劣化の適否を確実に、しかも、誘導灯検査器具１自体に光源１１を有するため、検査場所が暗くても、検査することができる。
【００２０】
また、鏡面部１３を使用する場合、上述した誘導灯検査器具（誘導灯検査方法）１によれば、誘導灯検査器具１の光源１１からの光を透過したスケール部Ｓの色彩見本Ｓ１，Ｓ２，Ｓ３・・・ＳＮと、表示体２から発せられる色彩を写した鏡面部１３とを使用状態に近い状態で見比べ、表示体２の適否を確実に、しかも、誘導灯検査器具１自体に光源を有するため、検査場所が暗くても、検査することができる。
【００２１】
なお、誘導灯の光源が蛍光灯であれば、図３に示すように、誘導灯検査器具１の光源１１は蛍光灯となっている。誘導灯の光源がＬＥＤであれば、誘導灯検査器具１の光源１１は、図示しないＬＥＤとする。
このように、誘導灯の光源が蛍光灯であれば、誘導灯検査器具１の光源１１を蛍光灯、前記誘導灯の光源がＬＥＤであれば、誘導灯検査器具１の光源１１をＬＥＤとするため、使用状態により近い状態で見比べ、表示体２の適否を確実に、しかも、誘導灯検査器具１自体に光源を有するため、検査場所が暗くても、検査することができる。
【００２２】
また、光源１１の明るさを検査対象の誘導灯の明るさに合わせて検査するように、図示しない調光手段（例えば、調光回路）を本体１０内に設けるようにしても良い。
【符号の説明】
【００２３】
１      誘導灯検査器具
２      誘導灯の表示体
１１    光源
１２    基板
Ｓ１    色彩見本
Ｓ２    色彩見本
Ｓ３    色彩見本
ＳＮ    色彩見本
Ｓ      スケール部
【図１】
2018151335.tif 000003
【図２】
2018151335.tif 000004
【図３】
2018151335.tif 000005